(57)【特許請求の範囲】
【請求項１】
固定台盤と、固定台盤の上方に配設された昇降押圧盤と、固定台盤に載置されている下部デッキボードと昇降押圧盤に把持されている上部デッキボードとの間に進入可能な加熱板とを有するパレット溶着装置において、該パレット溶着装置には、固定台盤の上面より下がった機台内に配設された垂直シリンダーと、該垂直シリンダーのピストンロッドに取着された水平シリンダーと、該水平シリンダーのピストンロッドに取着されているとともに上下端に水平リブが突設された位置決めブロックとからなる位置決め部材が配設されており、前記位置決め部材は、待機位置においては、搬入装置により搬送され、固定台盤の上面に載置される重ね合わされた状態の上部デッキボードと下部デッキボードに接触しないように引っ込んだ位置にあり、また、前記位置決め部材は、位置決め位置においては、前記位置決めブロックの上端の水平リブが、上部デッキボードの表面近傍の側面に当接し、且つ、前記位置決めブロックの下端の水平リブが、下部デッキボードの裏面近傍の側面に当接し、前記位置決め部材の上下端の水平リブが、上部デッキボードと下部デッキボードとの溶接面の近傍に当接しないように構成されていることを特徴とするパレット溶着装置。
【請求項２】
上記位置決め部材が、平面形状がほぼＬ字状で、上部デッキボードと下部デッキボードの角部が嵌合する凹部を有し、且つ、上下端に、前記凹部側に突設する水平リブが形成されている位置決めブロックを有し、更に、前記位置決め部材の位置決め位置においては、前記位置決めブロックの上端の水平リブが、上部デッキボードの表面近傍の側面に当接するとともに、前記位置決めブロックの下端の水平リブが、下部デッキボードの裏面近傍の側面に当接し、前記位置決め部材の上下端の水平リブが、上部デッキボードと下部デッキボードとの溶接面の近傍に当接しないように構成されていることを特徴とする請求項１に記載のパレット溶着装置。
【請求項３】
上記位置決め部材が、平板状で、且つ、上下端に、水平リブが形成されている位置決めブロックを有し、更に、前記位置決め部材の位置決め位置においては、前記位置決めブロックの上端の水平リブが、上部デッキボードの表面近傍に位置する上部デッキボードの各側面のほぼ中央部に当接するとともに、前記位置決めブロックの下端の水平リブが、下部デッキボードの裏面近傍に位置する下部デッキボードの各側面のほぼ中央部に当接し、前記位置決め部材の上下端の水平リブが、上部デッキボードと下部デッキボードとの溶接面の近傍に当接しないように構成されていることを特徴とする請求項１又は請求項２に記載のパレット溶着装置。
【発明の詳細な説明】
【０００１】
【発明の属する技術分野】
本発明は、合成樹脂で一体成形された上部デッキボードと下部デッキボードとを突き合わせて溶着することにより、パレットを製造するパレット溶着装置に関するものである。
【０００２】
【従来の技術】
上下方向に移動可能で、且つ、対向して配設された一対の押圧盤により、溶着面が対向するように、予めずれないように位置決めされた、半製品である上部デッキボードと下部デッキボードを、それぞれ把持するとともに、押圧盤に把持されている上部デッキボードと下部デッキボードとの間に、水平方向に進退可能な加熱板を配置し、次いで、上部デッキボードを把持している押圧盤を下降させるとともに、下部デッキボードを把持している押圧盤を上昇させて、上部デッキボードと下部デッキボードの溶着面を加熱板に当接させて溶融し、その後、上部デッキボードを把持している押圧盤を上昇させるとともに、下部デッキボードを把持している押圧盤を下降させた後、加熱板を水平方向に後退させて、押圧盤に把持されている上部デッキボードと下部デッキボードとの間から退避させ、その後、再度、上部デッキボードを把持している押圧盤を下降させるとともに、下部デッキボードを把持している押圧盤を上昇させて、上部デッキボードの溶融個所と下部デッキボードの溶融個所を、溶着個所がずれないように位置決めするとともに、接合して、上部デッキボードと下部デッキボードとを溶着するようにしたパレット溶着装置が知られている（例えば、特公昭６０−３２５７５号公報、特公昭６１−３７０９３号公報等）。
【０００３】
【発明が解決しようとする課題】
上述した従来のパレット溶着装置おける上部デッキボードと下部デッキボードの溶着作業においては、以下の２回の上部デッキボードと下部デッキボードの位置決め作業が行われる。１回目は、上下方向に移動可能で、且つ、対向して配設された一対の押圧盤に配設された把持部材により把持される前の下部デッキボードと、溶着面が対向するように下部デッキボードに載置された上部デッキボードとの位置決め作業であり、２回目は、加熱板により、上部デッキボードと下部デッキボードの溶着面を溶融し、その後、上部デッキボードの溶融個所と下部デッキボードの溶融個所を、溶着個所がずれないようにする位置決め作業である。１回目と２回目の位置決め作業は、共に、同一の位置決め部材により行われる。
【０００４】
図１１及び図１２を用いて、従来のパレット溶着装置における位置決め手段について説明する。
【０００５】
１’は、半製品である下部デッキボードであり、２’は、溶着面が対向するように下部デッキボード１’に載置された上部デッキボードである。３’は、側面形状がコの字状の押圧板であり、押圧板３’は、水平シリンダー４’のピストンロッド５’に取着されている。側面形状がコの字状の押圧板３’は、図１１に示されているように、下部デッキボード１’と上部デッキボード２’の接合面或いは溶着面６’の近傍を押さえるように構成されている。上記の水平シリンダー４’及び水平シリンダー４’のピストンロッド５’に取着された押圧板３’からなる位置決め部材Ｐ’は、下部デッキボード１’と上部デッキボード２’の各辺の中央部に１個及び下部デッキボード１’と上部デッキボード２’の各角部を挟んで、且つ、各角部に近接して２個、配設されている。勿論、下部デッキボード１’と上部デッキボード２’の各辺に、複数個の位置決め部材Ｐ’を配設することもできる。
【０００６】
上述した従来のパレット溶着装置における位置決め手段においては、下部デッキボード１’と上部デッキボード２’の各角部を挟んで２個の位置決め部材Ｐ’を配設して角部の位置決めを行っているが、２個の位置決め部材Ｐ’の水平シリンダー４’の作動タイミング、ピストンロッド５’の進出距離、押圧力等の作動条件を全く同じにしなければ、最も重要な下部デッキボード１’と上部デッキボード２’の角部の正確な位置決めを行うことはできない。しかしながら、２個の位置決め部材Ｐ’の水平シリンダー４’の作動条件を全く同じにすることは困難であり、しばしば、下部デッキボード１’と上部デッキボード２’との接合面或いは溶着面６’がずれるという問題があった。特に、上述した２回目の位置決め作業である、上部デッキボード２’の溶融個所と下部デッキボード１’の溶融個所を位置決めする際に、溶融個所がずれると、下部デッキボード１’と上部デッキボード２’との溶着面がずれて、商品価値の落ちた、或いは、商品として販売できないパレットが製造されることになる。
【０００７】
また、上述した２回目の位置決め作業である、上部デッキボード２’の溶融個所と下部デッキボード１’の溶融個所を位置決めする際に、図１１に示されているように、下部デッキボード１’と上部デッキボード２’の溶着面６’の近傍を押さえると、溶着面６’の近傍は、加熱されて強度的に一番弱いところであり、従って、押圧板３’の跡が残ったり、或いは、下部デッキボード１’と上部デッキボード２’の溶着面６’がずれるという問題があった。
【０００８】
本発明の目的は、上述した従来のパレット溶着装置が有する課題を解決するとともに、小型化が実現可能なパレット溶着装置を提供することにある。
【０００９】
【課題を解決するための手段】
本発明は、上述した目的を達成するために、固定台盤と、固定台盤の上方に配設された昇降押圧盤と、固定台盤に載置されている下部デッキボードと昇降押圧盤に把持されている上部デッキボードとの間に進入可能な加熱板とを有するパレット溶着装置において、第１には、パレット溶着装置には、固定台盤の上面より下がった機台内に配設された垂直シリンダーと、該垂直シリンダーのピストンロッドに取着された水平シリンダーと、該水平シリンダーのピストンロッドに取着されているとともに上下端に水平リブが突設された位置決めブロックとからなる位置決め部材を配設し、前記位置決め部材は、待機位置においては、搬入装置により搬送され、固定台盤の上面に載置される重ね合わされた状態の上部デッキボードと下部デッキボードに接触しないように引っ込んだ位置にあり、また、前記位置決め部材は、位置決め位置においては、前記位置決めブロックの上端の水平リブが、上部デッキボードの表面近傍の側面に当接し、且つ、前記位置決めブロックの下端の水平リブが、下部デッキボードの裏面近傍の側面に当接し、前記位置決め部材の上下端の水平リブが、上部デッキボードと下部デッキボードとの溶接面の近傍に当接しないように構成したものであり、第２には、上記位置決め部材が、平面形状がほぼＬ字状で、上部デッキボードと下部デッキボードの角部が嵌合する凹部を有し、且つ、上下端に、前記凹部側に突設する水平リブが形成されている位置決めブロックを有し、更に、前記位置決め部材の位置決め位置においては、前記位置決めブロックの上端の水平リブが、上部デッキボードの表面近傍の側面に当接するとともに、前記位置決めブロックの下端の水平リブが、下部デッキボードの裏面近傍の側面に当接し、前記位置決め部材の上下端の水平リブが、上部デッキボードと下部デッキボードとの溶接面の近傍に当接しないように構成したものであり、第３には、位置決め部材が、平板状で、且つ、上下端に、水平リブが形成されている位置決めブロックを有し、更に、前記位置決め部材の位置決め位置においては、前記位置決めブロックの上端の水平リブが、上部デッキボードの表面近傍に位置する上部デッキボードの各側面のほぼ中央部に当接するとともに、前記位置決めブロックの下端の水平リブが、下部デッキボードの裏面近傍に位置する下部デッキボードの各側面のほぼ中央部に当接し、前記位置決め部材の上下端の水平リブが、上部デッキボードと下部デッキボードとの溶接面の近傍に当接しないように構成したものである。
【００１０】
【実施例】
以下に、本発明の実施例について説明するが、本発明の趣旨を越えない限り何ら、本実施例に限定されるものではない。
【００１１】
先ず最初に、図１及び図２を用いて、本発明のパレット溶着装置の全体構成について説明する。
【００１２】
Ｍは、パレット溶着部であり、パレット溶着部Ｍは、パレット溶着部Ｍに隣接した配設されたローラコンベヤー等からなる搬入装置Ｔａにより搬入される、上部デッキボード１と下部デッキボード２との溶着面同士が接触するように重ね合わされた上部デッキボード１と下部デッキボード２とが載置される固定台盤３と、固定台盤３の上方に配設された上下動可能な昇降押圧盤４と、固定台盤３に載置されている下部デッキボード２と昇降押圧盤４により把持されている上部デッキボード１との間に進入可能な加熱板５とから構成されている。Ｔｂは、パレット溶着部Ｍにおいて溶着され、パレット溶着部Ｍから搬出された上部デッキボード１と下部デッキボード２とを、バリ取り装置等の次工程に搬送するためのローラコンベヤー等からなる搬送装置Ｔｂである。
【００１３】
固定台盤３には、搬入装置Ｔａにより搬入された、溶着面同士が接触するように重ね合わされた上部デッキボード１と下部デッキボード２との角部に押し付けられて、上部デッキボード１と下部デッキボード２とのずれを矯正して、上部デッキボード１と下部デッキボード２とを正確に位置決めするための第１位置決め部材６と、上部デッキボード１と下部デッキボード２の各側面のほぼ中央部に押し付けられて、上記の第１位置決め部材６と協働して、上部デッキボード１と下部デッキボード２とのずれを矯正して、上部デッキボード１と下部デッキボード２とを正確に位置決めするための第２位置決め部材７とが配設されている。第１位置決め部材６は、上部デッキボード１と下部デッキボード２の各角部に対応して、４個配設されており、また、第２位置決め部材７は、上部デッキボード１と下部デッキボード２の各側面のほぼ中央部に対応して、４個配設されている。なお、第１位置決め部材６と第２位置決め部材７の詳細については後述する。
【００１４】
図２及び図４に示されているように、固定台盤３には、下部デッキボード２の相対する側壁部を、それぞれ２か所で把持する把持部材８が配設されており、把持部材８は、下部デッキボード２の側壁部を上から把持する把持爪８ａと、把持爪８ａを下部デッキボード２方向に沿って進退させるシリンダー８ｂとから構成されている。また、昇降押圧盤４には、上述した固定台盤３に配設された把持部材８と同様の構成を有する把持部材９が配設されており、上部デッキボード１の側壁部を下から把持する把持爪９ａと、把持爪９ａを上部デッキボード１方向に沿って進退させるシリンダー９ｂとから構成されている。１０は、所定の間隔を置いて配置された支柱１１間に架橋された水平枠１２に取着された垂直シリンダーであり、垂直シリンダー１０のピストンロッド１０ａの下端には、昇降押圧盤４が取着されている。従って、垂直シリンダー１０を作動させて、ピストンロッド１０ａを上下動させることにより、昇降押圧盤４が昇降するように構成されている。
【００１５】
本実施例においては、加熱板５は、図２及び図３に示されているように、加熱板５の縁部を載置する額縁状の枠材１３の水平部１３ａに載置されている。加熱板５は、枠材１３の水平部１３ａに載置されているだけで、枠材１３には固定されておらず、上下方向に移動可能に構成されている。１４は、加熱板５の縁部に沿って、且つ、縁部に近接して、枠材１３に取着された逆Ｌ字状の規制片であり、逆Ｌ字状の規制片１４の水平部１４ａは、加熱板５側に突出しており、且つ、逆Ｌ字状の規制片１４の水平部１４ａと加熱板５の上面との間には、所定の間隙が形成されている。従って、枠材１３の水平部１３ａに載置されている加熱板５は、逆Ｌ字状の規制片１４の水平部１４ａに当接するまで、上動可能に構成されている。このような規制片１４は、加熱板５の縁部に沿って適当数配設されている。
【００１６】
支柱１１には、水平ビーム１５が取着されており、水平ビーム１５にはレール１６が水平に取着されている。１７は、レール１６に嵌合された摺動ブロックであり、摺動ブロック１７には逆Ｌ字状の枠材１８が取着されており、枠材１８の水平部１８ａには垂直シリンダー１９が取着されている。垂直シリンダー１９のピストンロッド１９ａは、枠材１８の水平部１８ａに穿設された透孔を通して下方に延びており、ピストンロッド１９ａの先端部には、適当なブロック２０を介して加熱板５を載置している枠材１３に取着されている。従って、図示されていないシリンダーやクランク機構等の適当な進退手段を作動させることにより、レール１６に沿って、垂直シリンダー１９のピストンロッド１９ａに取着されている枠材１３に載置されている加熱板５を、図２に示されているパレット溶着部Ｍから離れた待機位置と、固定台盤３に載置されている下部デッキボード２と、昇降押圧盤４により把持されている上部デッキボード１との間に進入する作業位置との間を進退できるように構成されている。
【００１７】
以下に、上部デッキボード１と下部デッキボード２の溶着作業について説明するが、溶着作業前においては、加熱板５は、図２に示されているようにパレット溶着部Ｍから離れた待機位置にあり、また、第１位置決め部材６及び第２位置決め部材７は、後述する待機位置にあり、更に、固定台盤３に配設されている把持部材８の把持爪８ａ及び昇降押圧盤４に配設されている把持部材９の把持爪９ａは後方の待機位置にある。また、昇降押圧盤４は上方の待機位置にあり、更に、搬入装置Ｔａ側に配設された第２位置決め部材７は、パレット溶着部Ｍに搬入される上部デッキボード１と下部デッキボード２の邪魔にならないように、下方向に没している。
【００１８】
このような状態で、搬入装置Ｔａにより、図２の二点鎖線で示されているような位置の固定台盤３上に、溶着面同士が接触するように重ね合わされた上部デッキボード１と下部デッキボード２とが載置される。次いで、固定台盤３に配設された、後述する第１位置決め部材６及び第２位置決め部材７を、それぞれ作動させて、上部デッキボード１と下部デッキボード２とのずれを矯正して、正確に位置決めする。
【００１９】
次いで、固定台盤３に配設された把持部材８のシリンダー８ｂを作動させて把持爪８ａを進出させて、下部デッキボード２の相対する側壁部を把持する。また、垂直シリンダー１０を作動させて昇降押圧盤４を上部デッキボード１に接近するまで下降させるとともに、昇降押圧盤４に配設された把持部材９のシリンダー９ｂを作動させて把持爪９ａを進出させて、上部デッキボード１の相対する側壁部を把持する。その後、垂直シリンダー１０を作動させて、上部デッキボード１を把持している昇降押圧盤４を上昇させる。この状態が、図４（ａ）に示されている。なお、下部デッキボード２及び上部デッキボード１の把持爪８ａ、９ａによる把持が完了した後には、第１位置決め部材６及び第２位置決め部材７を待機位置に戻す。
【００２０】
図４において、２１は、固定台盤３の上面に立設されたスペーサーであり、２２は、昇降押圧盤４の下面に垂下されたスペーサーであり、固定台盤３側のスペーサー２１の上端面に形成された凹部２１ａに、昇降押圧盤４側のスペーサー２２の下端面に突設された凸部２２ａが嵌合するように構成されている。後述するように、加熱板５により、上部デッキボード１と下部デッキボード２の溶着面を溶融した後、上部デッキボード１を下降させて、下部デッキボード２に当接させて、上部デッキボード１と下部デッキボード２を溶着することになるが、この時、固定台盤３側のスペーサー２１の上端面に形成された凹部２１ａに、昇降押圧盤４側のスペーサー２２の下端面に突設された凸部２２ａが嵌合するまで、上部デッキボード１を下降させる。このようなスペーサー２１、２２が配設されていないと、上部デッキボード１と下部デッキボード２とが溶着されて製造されるパレットの厚みが一定しないとともに、上部デッキボード１が下降し過ぎて、溶融された部分が過度に横方向にはみ出し、大きなバリが形成されることになる。
【００２１】
図４において、２３は、加熱板５の進行方向先端の側面に取着されたスペーサーであり、この加熱板５側スペーサー２３は、上述した固定台盤３側のスペーサー２１と昇降押圧盤４側のスペーサー２２とにより挟持されるように構成されている。このような加熱板５側スペーサー２３を設けることにより、上部デッキボード１と下部デッキボード２の溶着面の余分な溶融を防止することができる。
【００２２】
次いで、枠材１３の水平部１３ａに載置されている加熱板５を、進出させて、加熱板５を、図４（ｂ）に示されているように、固定台盤３に配設された把持部材８の把持爪８ａに把持されている下部デッキボード２と、昇降押圧盤４に配設された把持部材９の把持爪９ａに把持されている上部デッキボード１との間に配置する。次いで、摺動ブロック１７に取着された枠材１８に取り付けられている垂直シリンダー１９を作動させてピストンロッド１９ａを進出させ、枠材１３の水平部１３ａに載置されている加熱板５を下降させて、図４（ｃ）に示されているように、加熱板５を、下部デッキボード２の溶着面に接触させる。本実施例においては、加熱板５は、上述したように、枠材１３の水平部１３ａに載置されているだけてあり、従って、上動自在であるので、加熱板５が下部デッキボード２の溶着面に当接しても、下部デッキボード２への当接による衝撃を、加熱板５が上動することにより緩衝することができるので、加熱板５が損傷するようなことがない。
【００２３】
次いで、垂直シリンダー１０を作動させて、上部デッキボード１を把持している昇降押圧盤４を下降させて、図５（ａ）に示されているように、上部デッキボード１の溶着面を加熱板５に当接させる。次いで、図５（ｂ）に示されているように、固定台盤３側のスペーサー２１と昇降押圧盤４側のスペーサー２２とにより、加熱板５側スペーサー２３を挟持するまで、更に、上部デッキボード１を把持している昇降押圧盤４を下降させる。このように、加熱板５側スペーサー２３を設け、且つ、加熱板５側スペーサー２３を、固定台盤３側のスペーサー２１と昇降押圧盤４側のスペーサー２２とにより挟持するまで、昇降押圧盤４を下降させることにより、上部デッキボード１と下部デッキボード２の溶着面の溶融される厚さ、即ち、溶融代を一定に制御することができるとともに、上部デッキボード１と下部デッキボード２の溶着面が余分に溶融されるようなことが防止でき、常に、一定の厚さを持ったパレット製造することができるとともに、バリの発生を少なくすることができる。
【００２４】
その後、上部デッキボード１を把持している昇降押圧盤４を、再度、上昇させて、上部デッキボード１を加熱板５から引き離すとともに、垂直シリンダー１９を作動させてピストンロッド１９ａを後退させ、枠材１３の水平部１３ａに載置されている加熱板５を、下部デッキボード２から引き離して、図５（ｃ）に示されているように、加熱板５を、上部デッキボード１と下部デッキボード２の間に位置付ける。その後、加熱板５を、図２に示されているようなパレット溶着部Ｍから離れた待機位置に戻す。
【００２５】
その度、再度、上部デッキボード１を把持している昇降押圧盤４を下降させて、下部デッキボード２の溶融した溶着面と、上部デッキボード１の溶融した溶着面とを接触させる。この際、固定台盤３側のスペーサー２１の上端面に形成された凹部２１ａに、昇降押圧盤４側のスペーサー２２の下端面に突設された凸部２２ａが嵌合した時点で、上部デッキボード１の下降が停止するように構成されているので、上部デッキボード１が、過度に下降しすぎて、製造されるパレットの厚みが薄くなったり、或いは、下降が少なすぎて、製造されるパレットの厚みが厚くなったり、厚さの一定しないパレットが製造されるようなことがなく、常に、一定の厚さを有するパレットが製造できる。また、上部デッキボード１が下降しすぎて、溶融された部分が過度に横方向にはみ出し、大きなバリが形成されるようなことも防止できる。また、下部デッキボード２の溶融した溶着面と、上部デッキボード１の溶融した溶着面とが接触した時点で、或いは、接触する直前に、固定台盤３に配設された、後述する第１位置決め部材６及び第２位置決め部材７を作動させて、上部デッキボード１と下部デッキボード２とを、ずれのないように正確に位置決めする。
【００２６】
上述したようにして、下部デッキボード２と上部デッキボード１とが溶着された後、第１位置決め部材６及び第２位置決め部材７を待機位置に戻す。また、固定台盤３に配設された把持部材８の把持爪８ａを後退させて、下部デッキボード２の把持を解除するとともに、昇降押圧盤４に配設された把持部材９の把持爪９ａを後退させて、上部デッキボード１の把持を解除する。その後、昇降押圧盤４を上昇させて、待機位置に戻す。更に、搬送装置Ｔｂ側に配設された第２位置決め部材７を、パレット溶着部Ｍから搬出される上部デッキボード１と下部デッキボード２が溶着されて製造されたパレットの搬出の邪魔にならないように、下方に退避させる。その後、図示されていない押し出し装置により、製造されたパレットをパレット溶着部Ｍから搬出して、搬送装置Ｔｂ上に載置する。このようにして、パレットの溶着作業の１サイクルが終了することになる。
【００２７】
次に、図６〜図１０を用いて、上述した第１位置決め部材６及び第２位置決め部材７の構成及び作動について説明する。
【００２８】
上部デッキボード１と下部デッキボード２との角部に押し付けられて、上部デッキボード１と下部デッキボード２とのずれを矯正する第１位置決め部材６は、下部デッキボード２が載置される固定台盤３の上面３ａより１段下がった機台内に配設された垂直シリンダー６ａと、垂直シリンダー６ａのピストンロッド６ｂ（本実施例においては、４本のピストンロッド６ｂが配設されている。）に取着された水平シリンダー６ｃと、水平シリンダー６ｃのピストンロッド６ｄ（本実施例においては、２本のピストンロッド６ｄが配設されている。）に取着された位置決めブロック６ｅとから構成されている。
【００２９】
位置決めブロック６ｅは、板材をほぼ直角に折り曲げた、平面形状がほぼＬ字状に形成されており、上部デッキボード１と下部デッキボード２との角部が嵌合する凹部６ｆが形成されている。また、位置決めブロック６ｅの上下端からは、凹部６ｆ側に水平リブ６ｇが突設されており、該水平リブ６ｇは、上部デッキボード１の表面１ａ近傍の側面及び下部デッキボード２の裏面２ａ近傍の側面に当接するように構成されている。上述した第１位置決め部材６の待機位置においては、垂直シリンダー６ａのピストンロッド６ｂ及び水平シリンダー６ｃのピストンロッド６ｄは、図９の実線で示されているように、共に、引っ込んだ位置にあり、搬入装置Ｔａにより搬送され固定台盤３に載置された溶着面同士が接触するように重ね合わされた上部デッキボード１と下部デッキボード２の角部、或いは、下部デッキボード２の溶融した溶着面と上部デッキボード１の溶融した溶着面とが接触した時点、又は、接触する直前の上部デッキボード１と下部デッキボード２の角部には接触しないように構成されている。
【００３０】
上部デッキボード１と下部デッキボード２とを位置決めする際には、先ず最初に、垂直シリンダー６ａを作動させてピストンロッド６ｂを上昇させて、図９の２点鎖線で示されている位置まで位置決めブロック６ｅを上昇させる。次いで、水平シリンダー６ｃを作動させて、ピストンロッド６ｄを前進させて、位置決めブロック６ｅの凹部６ｆに、上部デッキボード１と下部デッキボード２との角部が嵌合する。この際、上述したように、位置決めブロック６ｅの水平リブ６ｇは、上部デッキボード１の表面１ａ近傍の側面及び下部デッキボード２の裏面２ａ近傍の側面に当接する。このように、位置決めブロック６ｅの水平リブ６ｇが、上部デッキボード１の表面１ａ近傍の側面及び下部デッキボード２の裏面２ａ近傍の側面に当接するように構成されているので、位置決めブロック６ｅの水平リブ６ｇが、下部デッキボード２と上部デッキボード１の溶着面の近傍の加熱により強度的に弱くなったところを押すことがないので、従って、下部デッキボード２と上部デッキボード１に、位置決めブロック６ｅの水平リブ６ｇの跡が残ったり、或いは、下部デッキボード２と上部デッキボード１の溶着面がずれるというようなことがない。
【００３１】
また、本実施例においては、上部デッキボード１と下部デッキボード２の角部は、それぞれ、位置決めブロック６ｅにより押圧されるので、従来のように、下部デッキボード１’と上部デッキボード２’の各角部を、２個の位置決め部材Ｐ’の水平シリンダー４’により押圧する際の２個の水平シリンダー４’の作動条件の不一致に起因する下部デッキボード１’と上部デッキボード２’のずれ等が起こらないので、確実に、且つ、迅速に、上部デッキボード１と下部デッキボード２の位置決めを行うことができる。
【００３２】
上部デッキボード１と下部デッキボード２の各側面の略中央部を押圧する第２位置決め部材７は、上述した第１位置決め部材６の平面形状がほぼＬ字状の位置決めブロック６ｅに代えて、平板状の位置決めブロック７ａが使用されている以外は、第１位置決め部材６と同じ構成を有している。即ち、第２位置決め部材７は、下部デッキボード２が載置される固定台盤３の上面３ａより１段下がった機台内に配設された垂直シリンダー７ａと、垂直シリンダー７ａのピストンロッド７ｂに取着された水平シリンダー７ｃと、水平シリンダー７ｃのピストンロッド７ｄに取着された平板状の位置決めブロック７ｅとから構成されている。そして、第１位置決め部材６の平面形状がほぼＬ字状の位置決めブロック６ｅと同様に、平板状の位置決めブロック７ｅの上下端からは、水平リブ７ｆが突設されており、該水平リブ７ｆも、上部デッキボード１の表面１ａ近傍の側面及び下部デッキボード２の裏面２ａ近傍の側面に当接するように構成されている。
【００３３】
上述した第２位置決め部材７の待機位置においては、垂直シリンダー７ａのピストンロッド７ｂ及び水平シリンダー７ｃのピストンロッド７ｄは、図１０の実線で示されているように、共に、引っ込んだ位置にあり、搬入装置Ｔａにより搬送され固定台盤３に載置された溶着面同士が接触するように重ね合わされた上部デッキボード１と下部デッキボード２の側面、或いは、下部デッキボード２の溶融した溶着面と上部デッキボード１の溶融した溶着面とが接触した時点、又は、接触する直前の上部デッキボード１と下部デッキボード２の側面には接触しないように構成されている。
【００３４】
上部デッキボード１と下部デッキボード２とを位置決めする際には、先ず最初に、垂直シリンダー７ａを作動させてピストンロッド７ｂを上昇させて、図１０の２点鎖線で示されている位置まで平板状の位置決めブロック７ｅを上昇させる。次いで、水平シリンダー７ｃを作動させて、ピストンロッド７ｄを前進させて、平板状の位置決めブロック７ｅの水平リブ７ｆを、上部デッキボード１と下部デッキボード２の側面に押し付ける。この際、上述したように、平板状の位置決めブロック７ｅの水平リブ７ｆは、上部デッキボード１の表面１ａ近傍の側面及び下部デッキボード２の裏面２ａ近傍の側面に当接する。このように、平板状の位置決めブロック７ｅの水平リブ７ｆが、上部デッキボード１の表面１ａ近傍の側面及び下部デッキボード２の裏面２ａ近傍の側面に当接するように構成されているので、平板状の位置決めブロック７ｅの水平リブ７ｆが、下部デッキボード２と上部デッキボード１の溶着面の近傍の加熱により強度的に弱くなったところを押すことがないので、下部デッキボード２と上部デッキボード１に、平板状の位置決めブロック７ｅの水平リブ７ｆの跡が残ったり、或いは、下部デッキボード２と上部デッキボード１の溶着面がずれるというようなことがない。
【００３５】
また、第１位置決め部材６の平面形状がほぼＬ字状の位置決めブロック６ｅ及び第２位置決め部材７の平板状の位置決めブロック７ｅは、待機位置においては、図４（ｂ）に示されているように、加熱板５が、固定台盤３に配設された把持部材８の把持爪８ａに把持されている下部デッキボード２と、昇降押圧盤４に配設された把持部材９の把持爪９ａに把持されている上部デッキボード１との間に位置したときに、加熱板５の下に位置するように構成されている。このように、第１位置決め部材６及び第２位置決め部材７の待機位置においては、垂直シリンダー６ａ、７ａを作動させてピストンロッド６ｂ、７ｂを引っ込ませて、ほぼＬ字状の位置決めブロック６ｅと平板状の位置決めブロック７ｅロック７ｅとが、共に、加熱板５の下に位置するように構成されているので、パレット溶着装置の高さを低くすることができ、パレット溶着装置の小型化が実現できる。
【００３６】
【発明の効果】
本発明は、以上説明した構成を有しているので、以下に記載する効果を奏するものである。
【００３７】
位置決め部材の位置決めブロックを上下動及び前後動可能に構成したので、パレット溶着装置の高さを低くすることができ、パレット溶着装置の小型化が実現できる。
【００３８】
位置決めブロックの上下端に形成された水平リブが、上部デッキボードの表面近傍の側面及び下部デッキボードの裏面近傍の側面に当接するように構成したので、位置決めブロックの水平リブが、下部デッキボードと上部デッキボードの溶着面の近傍の強度的に一番弱いところを押すことがないので、従って、下部デッキボードと上部デッキボードに、位置決めブロックの水平リブの跡が残ったり、或いは、下部デッキボードと上部デッキボードの溶着面がずれるというようなことがない。
【図面の簡単な説明】
【図１】図１は本発明のパレット溶着装置の概略正面図である。
【図２】図２は昇降押圧盤が取り除かれた状態の本発明のパレット溶着装置の平面図である。
【図３】図３は図２のＩ−Ｉ線に沿った部分垂直断面図である。
【図４】図４は本発明のパレット溶着装置の溶着作業を説明するための一部断面を含む部分側面図である。
【図５】図５は図４に続く本発明のパレット溶着装置の溶着作業を説明するための一部断面を含む部分側面図である。
【図６】図６は本発明のパレット溶着装置の第１位置決め部材等の斜視図である。
【図７】図７は本発明のパレット溶着装置の第１位置決め部材等の平面図である。
【図８】図８は図７のＩ−Ｉ線に沿った垂直側断面図である。
【図９】図９は、本発明のパレット溶着装置の第１位置決め部材等の正面図である。
【図１０】図１０は本発明のパレット溶着装置の第２位置決め部材等の正面図である。
【図１１】図１１は従来のパレット溶着装置の位置決め部材等の要部正面図である。
【図１２】図１２は従来のパレット溶着装置の位置決め部材等の平面図である。
【符号の説明】
Ｍ・・・・・・・・パレット溶着
１・・・・・・・・上部デッキボード
２・・・・・・・・下部デッキボード
３・・・・・・・・固定台盤
４・・・・・・・・昇降押圧盤
５・・・・・・・・加熱板
６・・・・・・・・第１位置決め部材
７・・・・・・・・第２位置決め部材
【図１】
0003790343.tif 000002
【図２】
0003790343.tif 000003
【図３】
0003790343.tif 000004
【図４】
0003790343.tif 000005
【図５】
0003790343.tif 000006
【図６】
0003790343.tif 000007
【図７】
0003790343.tif 000008
【図８】
0003790343.tif 000009
【図９】
0003790343.tif 000010
【図１０】
0003790343.tif 000011
【図１１】
0003790343.tif 000012
【図１２】
0003790343.tif 000013